(57)【特許請求の範囲】
【請求項１】
２次電池を内蔵した被充電体が装着位置にあることを検出する検出手段と、
充電端子を設け、前記被充電体の電極部に対して離接自在とした充電端子保持部材と、
前記充電端子保持部材を駆動して前記充電端子を前記被充電体の電極部に対して離接させる充電端子保持部材駆動手段とを備え、
前記検出手段によって前記被充電体の装着が検出されていない時には、前記充電端子保持部材駆動手段を駆動して前記充電端子保持部材の充電端子を前記被充電体の電極部から離間させてあり、
前記検出手段によって前記被充電体の装着が検出された時には、前記充電端子保持部材駆動手段を駆動して前記充電端子保持部材の充電端子を前記被充電体の電極部に当接させるようにし、
前記充電端子保持部材は回動自在に支持され、かつ前記充電端子保持部材に前記充電端子を弾性手段を介して前記被充電体の電極部方向に付勢して支持してあり、
前記充電端子保持部材を駆動して前記充電端子を前記被充電体の電極部に当接させると、前記充電端子が前記被充電体に最初に当接した位置から、前記弾性手段に抗して前記充電端子保持部材に押し込められながら前記充電端子が前記電極部に対して摺動するようにしたことを特徴とする充電器。
【請求項２】
２次電池を内蔵した被充電体が装着位置にあることを検出する検出手段と、
充電端子を設け、前記被充電体の電極部に対して離接自在とした充電端子保持部材と、
前記充電端子保持部材を駆動して前記充電端子を前記被充電体の電極部に対して離接させる充電端子保持部材駆動手段とを備え、
前記検出手段によって前記被充電体の装着が検出されていない時には、前記充電端子保持部材駆動手段を駆動して前記充電端子保持部材の充電端子を前記被充電体の電極部から離間させてあり、
前記検出手段によって前記被充電体の装着が検出された時には、前記充電端子保持部材駆動手段を駆動して前記充電端子保持部材の充電端子を前記被充電体の電極部に当接させるようにし、
前記被充電体を排出するイジェクト部材と、
前記イジェクト部材を駆動するイジェクト部材操作カムを設けたギヤと、
前記ギヤを駆動するモータと、
前記モータの駆動制御するモータ制御回路と、
前記ギヤには前記充電端子保持部材駆動部材を操作する駆動部材操作カムを備え、
前記被充電体が装着位置にある時、外部からの入力により前記モータ制御回路からの制御信号に応じて前記モータを駆動して前記ギヤを駆動し、前記ギヤの前記駆動部材操作カムにより前記充電端子保持部材が駆動されて前記充電端子が電極部から離れた後に、前記ギヤの前記イジェクト部材操作カムによって前記イジェクト部材を駆動させて前記被充電体を排出させるようにしたことを特徴とする充電器。
【請求項３】
請求項２記載において、前記被充電体の挿入口以外でかつ装置外部より操作可能な操作部を設け、
前記充電端子保持部材は、前記装着位置から前記充電端子保持部材駆動部材を更に押し込むと、前記被充電体の電極部から離れるように動作するように連動されており、
前記被充電体の充電可能状態で、前記操作部から前記充電端子保持部材駆動部材を押し込み操作することにより、前記充電端子保持部材駆動部材によって前記充電端子保持部材を前記被充電体の電極部から離れさせるとともに、前記イジェクト部材を駆動させて前記被充電体を排出する方向に押し出すようにしたことを特徴とする充電器。
【発明の詳細な説明】
【０００１】
【発明の属する技術分野】
本発明は、カード状で内部に充電部を備え、充電部と導通している電極を外面に設けてなる被充電体を挿入して充電し、また被充電体を排出する充電器に関する。
【０００２】
【従来の技術】
この種の充電器は、カード状で内部に充電部を備え、充電部と導通している電極部を外面に設けてなる被充電体を挿入して充電器の充電端子と電極部とを接続させ、被充電体に充電するようにしている。
そして、被充電体の充電完了後、充電器から被充電体を排出させるようになっている。
【０００３】
【発明が解決しようとする課題】
しかしながら、前記従来技術においては、被充電体の挿入・排出の際、充電端子は被充電体の側面を摺動して電極部に到達し、あるいは電極部から側面を摺動するようになっている。また、充電端子は弾性片状に形成されて、自らの弾性力によって電極部（あるいは被充電体の側面）に圧接する。
したがって、被充電体の挿入・排出の度に充電端子が電極部（あるいは被充電体の側面）と長い距離に渡って摺動させられているので、充電端子、及び電極部（あるいは被充電体の側面）が摩耗して接続不良が発生する。
また、被充電体の挿入によって充電端子を押し除けているので、充電端子が被充電体の外面にひっかかって挿入・排出に支障が生じる虞れがあった。
【０００４】
本発明の第１の課題は、被充電体の脱着の際に充電端子が被充電体と摺動して摩耗したり、また、被充電体にぶつかって損傷することを防止でき、また挿入並びに自動排出が確実にできる充電器を提供することである。
本発明の第２の課題は、被充電体の装着が完了した状態で充電端子を被充電体の電極部で摺動させて、充電端子のセルフクリーニングを行い、充電端子と電極部とが常に確実に導通される充電器を提供することである。
本発明の第３の課題は、外部から被充電体をオートイジェクトできる充電器を提供することである。
本発明の第４の課題は、外部から被充電体をオートイジェクトできるとともに、充電端子、及び電極部（あるいは被充電体の側面）が摩耗して接続不良が発生するのを防止でき、また、充電端子が被充電体の外面にひっかかって挿入・排出に支障が生じることもない充電器を提供することである。
本発明の第５の課題は、充電器内に被充電体を挿入して充電しているときに、停電等によって充電器のオートイジェクト機構が作動しない場合、簡単な機構でギアに関係なく、手動によって被充電体を排出できる充電器を提供することである。
【０００５】
【課題を解決するための手段】
前記第１、２の課題は、２次電池を内蔵した被充電体が装着位置にあることを検出する検出手段と、充電端子を設け、前記被充電体の電極部に対して離接自在とした充電端子保持部材と、前記充電端子保持部材を駆動して前記充電端子を前記被充電体の電極部に対して離接させる充電端子保持部材駆動手段とを備え、前記検出手段によって前記被充電体の装着が検出されていない時には、前記充電端子保持部材駆動手段を駆動して前記充電端子保持部材の充電端子を前記被充電体の電極部から離間させてあり、前記検出手段によって前記被充電体の装着が検出された時には、前記充電端子保持部材駆動手段を駆動して前記充電端子保持部材の充電端子を前記被充電体の電極部に当接させるようにし、前記充電端子保持部材は回動自在に支持され、かつ前記充電端子保持部材に前記充電端子を弾性手段を介して前記被充電体の電極部方向に付勢して支持してあり、前記充電端子保持部材を駆動して前記充電端子を前記被充電体の電極部に当接させると、前記充電端子が前記被充電体に最初に当接した位置から、前記弾性手段に抗して前記充電端子保持部材に押し込められながら前記充電端子が前記電極部に対して摺動するようにした第１の手段により解決される。
前記第３、４の課題は、２次電池を内蔵した被充電体が装着位置にあることを検出する検出手段と、充電端子を設け、前記被充電体の電極部に対して離接自在とした充電端子保持部材と、前記充電端子保持部材を駆動して前記充電端子を前記被充電体の電極部に対して離接させる充電端子保持部材駆動手段とを備え、前記検出手段によって前記被充電体の装着が検出されていない時には、前記充電端子保持部材駆動手段を駆動して前記充電端子保持部材の充電端子を前記被充電体の電極部から離間させてあり、前記検出手段によって前記被充電体の装着が検出された時には、前記充電端子保持部材駆動手段を駆動して前記充電端子保持部材の充電端子を前記被充電体の電極部に当接させるようにし、前記被充電体を排出するイジェクト部材と、前記イジェクト部材を駆動するイジェクト部材操作カムを設けたギヤと、前記ギヤを駆動するモータと、前記モータの駆動制御するモータ制御回路と、前記ギヤには前記充電端子保持部材駆動部材を操作する駆動部材操作カムを備え、前記被充電体が装着位置にある時、外部からの入力により前記モータ制御回路からの制御信号に応じて前記モータを駆動して前記ギヤを駆動し、前記ギヤの前記駆動部材操作カムにより前記充電端子保持部材が駆動されて前記充電端子が電極部から離れた後に、前記ギヤの前記イジェクト部材操作カムによって前記イジェクト部材を駆動させて前記被充電体を排出させるようにした第２の手段により解決される。
前記第５の課題は、第２の手段において、前記被充電体の挿入口以外でかつ装置外部より操作可能な操作部を設け、前記充電端子保持部材は、前記装着位置から前記充電端子保持部材駆動部材を更に押し込むと、前記被充電体の電極部から離れるように動作するように連動されており、前記被充電体の充電可能状態で、前記操作部から前記充電端子保持部材駆動部材を押し込み操作することにより、前記充電端子保持部材駆動部材によって前記充電端子保持部材を前記被充電体の電極部から離れさせるとともに、前記イジェクト部材を駆動させて前記被充電体を排出する方向に押し出すようにした第３の手段により解決される。
【０００６】
【発明の実施の形態】
以下、本発明の実施の形態について説明する。
図１は本発明に係る充電器の一実施の形態のストップ状態／カード挿入状態を示す説明図、図２は図１の充電器の充電状態を示す説明図、図３は図１の充電器のイジェクト完了状態を示す説明図、図４は図１の充電器の緊急イジェクト状態を示す説明図、図５は図１の充電器の右側面図、図６は図１の充電器の一部を省略して示す縦断面図、図７(a),(b)はカムギアの正面図及び縦断面図、図８(a),(b),(c),(d)はカムプレートの要部平面図、正面図、底面図、及び右側面図、図９(a),(b)は充電端子保持レバーの正面図及び右側面図、図１０(a),(b)は第１のイジェクトレバーの正面図及び右側面図、図１１(a),(b)は第２のイジェクトレバーの正面図及び右側面図、図１２(a),(b)はロックレバーの正面図及び底面図、図１３(a),(b),(c)はガイドの平面図、正面図、及び左側面図、図１４は図１の一方の充電端子保持レバー付近を拡大して示す説明図、図１５は図１のカムギア付近を拡大して示す説明図である。なお、図５は図１から図４の各動作状態を重ねて示してある。
【０００７】
これらの図において、１は充電器で、充電器１には、上面及び正面（カード挿入面）を開放した四角箱状に形成されているフレーム２が配設されている。フレーム２の上面には、カードＣを挿入したときガイドする一対のガイド３，３が取付固定されている。
このガイド３，３は板状で平行に配置され、図１及び図６及び図１３(a)乃至(c)に示すように、その内壁面にガイド溝４，４がそれぞれ形成されており、挿入されたカードＣの両縁部がガイド溝４，４にそれぞれ差し込まれてカードＣは図６の紙面に直交する方向にスライド自在にガイドされる。また、ガイド３，３には、充電端子１０を進出させてカードＣの電極部Ｅに当接させる２つの開口部６，６がそれぞれ形成されている。なお、ガイド３，３には複数のガイド溝形成されており、図５に示すように、別のカードＣ’を挿入することや、ガイド３，３の上下を逆にして薄いカードを挿入するようにもできる。
【０００８】
７は一対の充電端子保持レバーで、図１及び図１４に示すように、充電端子保持レバー７，７は、一対のガイド３，３の外面側に配設されるとともに、その一端寄りをフレーム２に取付けられた回動支持軸８，８を孔６４に挿入して回動自在に支持されている。また、充電端子保持レバー７，７の他端寄りには、図９(b)に示すように、間隔を隔てかつほぼ回動方向に沿った貫通孔９，９が上下２列に穿設され、貫通孔９，９に充電端子１０，１０がそれぞれ挿入されている。そして、充電端子１０の先端は円錐形状に尖っており、また他端は充電端子保持レバー７の外面側でワッシャー１１によって抜け止めされる。この先端と充電端子保持レバー７との間にコイルスプリング１２を配設して充電端子１０を充電端子保持レバー７の内面側に付勢している。したがって、各充電端子１０はコイルスプリング１２に抗して押し込まれるようになっている。なお、これらの充電端子１０は図示しないリード線、そしてコネクタを介して電源部に接続されている。
【０００９】
充電端子保持レバー７には、図９(a)及び図１４に示すように、カム溝１３が形成されている。このカム溝１３は、回動支持軸８寄りから、退避保持させる第１のカム溝部１３ａ、当接方向に回動動作させる第２のカム溝部１３ｂ、当接状態で保持する第３のカム溝部１３ｃ、退避方向に回動動作させる第４のカム溝部１３ｄ、そして退避状態で保持する第５のカム溝部１３ｅの順で屈曲して連続形成されている。なお、第４のカム溝部１３ｄ及び第５のカム溝部１３ｅは緊急イジェクト動作時に使用される。
【００１０】
１４はカードＣを検知するカード検知センサで、カードＣを挿入して装着位置に達すると、カードＣの先端がカード検知センサ１４の検出子を押してオンさせ、後述するモータを駆動して充電端子１０をカードＣの電極部Ｅに当接させる。
【００１１】
これらの一対のガイド３，３の上端間には、カムプレート１５が、挿入されたカードＣと平行でカードＣの挿入・排出方向と同方向にスライド自在に支持されている。カムプレート１５は薄板材から形成され、図８(a)乃至(d)に示すように、両縁からやや上方に屈曲形成されたカムピン取付片１６，１６と、カムピン取付片１６から下方に突出されたカムピン１７と、後述するカムギア２６のカムプレート用カム部に係合する係合片部１８と、後述するイジェクトレバーに当接して緊急イジェクト動作を行わせる緊急イジェクト動作片部１９と、カムプレート１５をカードＣの排出方向に付勢するコイルスプリング２０の一端を掛け止めする掛け止め片部２１と、カムピン取付片１６，１６の近くで下方に屈曲形成された安定片部２２，２２と、挿入口側のカムプレート１５の縁部から上方に屈曲形成された緊急イジェクト操作用受け片部２３，２３と、フレーム２から立設され、後述するカムギアの回動支持軸も兼ねている支柱２４の上端部が挿入されるスライドガイド溝２５とが備えられている。
【００１２】
カムプレート１５のカムピン１７，１７は、充電端子保持レバー７，７のカム溝１３，１３に上方から挿入されており、カムプレート１５がカードＣの挿入排出方向にスライドされることによってカムピン１７，１７を介して充電端子保持レバー７，７は回動動作させられて充電端子１０がカードＣの電極部Ｅに対して離接動作させられる。
カムプレート１５のスライドのガイドは、支柱２４の上端部をスライドガイド溝２５に挿入していること、カムピン取付片１６，１６が充電端子保持レバー７，７の上面を摺動すること、そして安定片部２２，２２を一対のガイド３，３の内壁面を摺動させることによって行われている。
【００１３】
２６はカムギアで、カムギア２６は前述したように支柱２４に回動自在に支持されている。カムギア２６は全体的に円板状に形成され、図７(a),(b)及び図１５に示すように、その外周にギア部２７が形成され、このギア部２７は図１に示すように、大小ギア２８、駆動軸に取付けられたウオームギア３０を介してモータ２９の駆動力が伝達されるようになっている。本実施の形態の場合、カムギア２６は一方向（図１及び図１５で時計回り方向）のみ回転されている。なお、モータ２９はフレーム２に取付けられており、大小ギア２８はフレーム２に立設された軸によって回転自在に支持されている。
また、カムギア２６には、その中心部に形成され、支柱２４を嵌合する嵌合孔３１と、その上面側に形成され、カムプレート１５の係合片部１８と係合してカムプレート１５をスライド動作させるカムプレート用カム部３２と、その下面側に形成され、後述するイジェクトレバーを動作させるイジェクトレバー用カム部３３と、その下面周縁部に形成され、イニシャライズ位置検出センサ３４と充電位置検出センサ６０を動作させる突起部３５と、後述するロックレバーを動作させるロックレバー用カム部３６とが設けられている。
【００１４】
カムプレート用カム部３２は嵌合孔３１から一方向に延設されており、図１及び図１５の状態からカムギア２６を時計回り方向に回転させると、コイルスプリング２０のバネ力に抗してカムプレート１５を奥方向に引き込み、ほぼ９０度回転したところ（図２の状態）でカムプレート１５が最も引き込まれている。なお、この位置（充電位置）で突起部３５が充電位置検出センサ６０を動作させ、モータ２９をオフしてカムギア２６の回転を停止させるようになっている。
通常のイジェクト動作を行って、カムプレート１５を更に時計回り方向に回転させると、カムプレート１５の係合片部１８にカムプレート用カム部３２の小径部分が係合するようになるので、コイルスプリング２０のバネ力によってカムプレート１５はカードＣ排出方向にスライドさせられ図３の状態となる。
【００１５】
一方、イジェクトレバー用カム部３３は、中心からの距離の等しく小径の非動作部３７と、中心からの距離が次第に長くなり再び短くなる動作部３８とからなっており、非動作部３７はほぼ１８０度の範囲を占めている。このイジェクトレバー用カム部３３によってイジェクトレバー３９を駆動して充電位置にあるカードＣを排出させている。
【００１６】
また、ロックレバー用カム部３６は、カムギア２６の下面に形成された凹段部の外周内壁面に、ロックカム部３６ａと非ロックカム部３６ｂ、並びにロックカム部３６ａと非ロックカム部３６ｂを繋ぐ傾斜カム部３６ｃから構成され、このロックレバー用カム部３６をロックレバー４０の係合ピン４１が摺動することによってロックレバー４０が動作されている。
【００１７】
イジェクトレバー３９は、フレーム２から立設された支持軸４２，４３に回動自在に支持された第１，第２のイジェクトレバー４４，４５から構成されている。第１のイジェクトレバー４４は中央付近で屈曲形成され、その屈曲部に形成され、支持軸４２を貫通させる貫通孔４６と、一端部に突設され、前記イジェクトレバー用カム部３３に係合している係合ピン４７と、他端部に突設され、第２のイジェクトレバー４５の一端部と連結してリンクさせるリンクピン４８とが設けられている。
また、第２のイジェクトレバー４５は、図１１(a),(b)に示すように、支持軸４３を貫通させる貫通孔４９と、一端部にリンクピン４８を挿入するスリット５０と、上方に屈曲形成され、前記カムプレート１５の緊急イジェクト動作片部１９が突き当たるようにした受け部５１と、第２のイジェクトレバー４５（イジェクトレバー３９）を非イジェクト位置方向に付勢するコイルスプリング５２の一端を掛け止めする掛け止め部６１とが設けられている。したがって、コイルスプリング５２のバネ力によって第２のイジェクトレバー４５を図１で反時計回り方向に付勢し、これにより連結された第１のイジェクトレバー４４を図１で時計回り方向に付勢して第１のイジェクトレバー４４の係合ピン４７をイジェクトレバー用カム部３３に圧接させている。
【００１８】
また、第１のイジェクトレバー４４のリンクピン４８は下方にも突出されて第３のイジェクトレバー５３の一端部の孔６３に挿入されて連結されている。この第３のイジェクトレバー５３の他端部は、図１０(a),(b)に示すように、上方に屈曲されてカード押出し片部５４が形成され、カード押出し片部５４によって充電位置にあるカードＣの先端を押して排出させる。また、第３のイジェクトレバー５３は、その他端部寄りにスリット６２が形成され、このスリット６２にフレーム２に立設されたガイドピン５５を挿入して第３のイジェクトレバー５３の排出方向への移動をガイドしている。
【００１９】
ロックレバー４０はそのほぼ中央でフレーム２から立設された支持軸５６に回動自在に支持されるとともに、コイルスプリング５７の一端を掛け止めされて反時計回り方向に付勢されている。また、ロックレバー４０の一端部は図１及び図１２(a),(b)に示すように、前記一方のガイド３の開口部６に延設され、この開口部６から進退して、カードＣの先端側面に突設された突起部に係合してロックするロック爪部５８が設けられている。また、ロックレバー４０の他端部にはカムギア２６のロックレバー用カム部３６を係合する係合ピン５９が突設されている。なお、この係合ピン５９はコイルスプリング５７のバネ力によってカムギア２６のロックレバー用カム部３６に圧接されている。したがって、後述する緊急イジェクト動作において、強制的にカードＣを排出させると、ロックレバー４０がロック爪のテーパーにより後退させられるので、ロックレバー４０をカムギア２６で駆動させなくともカードＣを排出できる。
【００２０】
次に、前記実施の形態の動作を図１乃至図４を参照して説明する。
まず、図１の状態とするためのイニシャライズ動作を行う。このイニシャライズ動作は制御部からの制御信号によりモータ２９を駆動してカムギア２６を時計回り方向に回転させ、カムギア２６の突起部３５がイニシャライズ位置検出センサ３４を動作させると、モータ２９の駆動を停止して図１の状態にする。なお、イニシャライズ動作中にカムギア２６の突起部３５が充電位置検出センサ６０を動作させてもモータ２９は停止しないように制御している。
【００２１】
図１のストップ状態／カード挿入状態では、第１のイジェクトレバー４４の係合ピン４７はカムギア２６のイジェクトレバー用カム部３３の非動作部３７に係合していて第３のイジェクトレバー５３は最奥部（図１の左方向）にあり、また、カムプレート１５の係合片部１８はカムギア２６のカムプレート用カム部３２の小径部分にあってカムプレート１５はコイルスプリング２０のバネ力によって最も手前（図１の右方向）にある。したがって、カムプレート１５のカムピン１７，１７は充電端子保持レバー７，７のカム溝１３の第１のカム溝部１３ａにあって充電端子保持レバー７，７は互いに離れる方向に回動しており、充電端子１０，１０はガイド３，３の開口部６，６から後退されて、挿入されてくるカードＣに接触しないようになっている。
【００２２】
この図１の状態で、カード挿入方向Ｆからガイド３，３間にカードＣを挿入する。そして、カードＣの先端がカード検知センサ１４を動作すると（つまりカードＣが充電位置に完全に到達する）、制御部からの制御信号によってモータ２９が駆動されてカムギア２６が時計回り方向に回転する。カムギア２６の突起部３５が充電位置検出センサ６０を動作させると、図２に示すように、モータ２９の駆動を停止させている。この場合では図１の状態から図２の状態へカムギア２６は９０度回転させて停止している。
【００２３】
このような図１から図２へのカムギア２６の回転によって、カムプレート用カム部３２と係合しているカムプレート１５の係合片部１８は、コイルスプリング２０のバネ力に抗して奥方向に移動され、ほぼ９０度回転したところで、図２に示すように、カムプレート１５が最も引き込まれる。このカムプレート１５の移動によってカムピン１７，１７が充電端子保持レバー７，７のカム溝１３，１３の第１のカム溝部１３ａから第２のカム溝部１３ｂそして第３のカム溝部１３ｃへ至り、充電端子保持レバー７，７は回動支持軸８を中心にして内側に回動して、充電端子１０，１０が開口部６，６を通ってカードＣの両側面の各電極部にそれぞれ当接される。
【００２４】
ここで、充電端子１０，１０の各電極部に対する接触動作について説明すると、図１の状態では、充電端子１０，１０はコイルスプリング１２のバネ力によって両充電端子保持レバー７，７の内面側にそれぞれ突出されている。そして、前述したように、両充電端子保持レバー７，７が内側に回動して充電端子１０，１０がカードＣの電極部にやや傾いて突き当たる。更に、両充電端子保持レバー７，７が内側に回動すると、コイルスプリング１２のバネ力に抗して貫通孔９，９内に押し込められ、図２に示すように充電端子１０，１０の各電極部に対してほぼ垂直配置となって充電端子の接続を完了する。
この充電端子１０，１０の先端が最初にカードＣの電極部に突き当たってから図２の状態になるまでに充電端子１０，１０の先端は押し込まれることによって電極部上を回動支持軸８方向にわずかに摺動することになるので、この際、接続面のセルフクリーニングを行える。なお、充電端子１０，１０が電極部から離れるときにも、最初に電極部上を摺動するので、同様にセルフクリーニングを行える。
【００２５】
次に、通常のイジェクト動作について説明する。
この図２の状態で、図示しない操作部のイジェクト釦を操作する（あるいは装置本体の制御部からの制御信号等）と、モータ２９を駆動してカムギア２６を時計回り方向に回転させる。このカムギア２６の回転によって、カムプレート用カム部３２と係合しているカムプレート１５は、次第にコイルスプリング２０のバネ力により手前方向（図２で右方向）に移動され、図３のイジェクト完了状態になる。このカムプレート１５の手前方向（図２で右方向）の移動によってカムピン１７，１７が充電端子保持レバー７，７のカム溝１３，１３の第３のカム溝部１３ｃから第２のカム溝部１３ｂそして第１のカム溝部１３ａへ至り、充電端子保持レバー７，７は回動支持軸８を中心にして外側に回動して、充電端子１０，１０が開口部６，６から後退してカードＣの両側面の各電極部から離れる。
【００２６】
また、このカムギア２６の回転において、図２でカムギア２６のイジェクトレバー用カム部３３の非動作部３７に係合している第１のイジェクトレバー４４の係合ピン４７は、前述のカムプレート１５による充電端子保持レバー７，７の駆動が終了するまで非動作部３７に係合している。これにより、充電端子１０，１０を完全に退避させて、カードＣのイジェクト動作にぶつかる等の支障が発生しないようにしている。
そして、カムギア２６が更に回転すると、第１のイジェクトレバー４４の係合ピン４７は非動作部３７から動作部３８へ至って第１のイジェクトレバー４４並び連動する第２のイジェクトレバー４５はコイルスプリング５２のバネ力に抗して回動させられる。この回動によってリンクピン４８は図２の右方向に移動するので、リンクピン４８と連結された第３のイジェクトレバー５３も図２の右方向に移動させ、図３に示すように、カード押出し片部５４によって充電位置にあるカードＣの先端を押して排出させる。
【００２７】
図３の状態でカードＣのイジェクトは完了するが、更にモータ２９は駆動されてカムギア２６も時計回り方向に回転し、カムギア２６の突起部３５がイニシャライズ位置検出センサ３４を動作させると、モータ２９の駆動を停止して図１の状態となる。また、第３のイジェクトレバー５３は第１のイジェクトレバー４４の係合ピン４７が動作部３８から非動作部３７へ至ることにより、コイルスプリング５２のバネ力によって第１のイジェクトレバー４４並び連動する第２のイジェクトレバー４５が前述と逆方向に回動してリンクピン４８が図２の左方向に移動し、図１の状態となる。
【００２８】
次に、緊急イジェクト動作について図２及び図４を参照して説明する。
この緊急イジェクト動作は図２に示すように、カードＣを充電位置に挿入してあるときに、例えば、停電等によってモータ２９を駆動できない場合にも手動操作によってカードＣをイジェクトさせるものである。
【００２９】
図２の充電状態において、図示しない操作棒等を図２の右方向から差し込み、緊急イジェクト操作用受け片部２３，２３を押すと、カムプレート１５は前記カムギア２６から離れ、コイルスプリング２０のバネ力に抗して奥方向に押し込まれる。すると、カムプレート１５のカムピン１７，１７は、図４に示すように、充電端子保持レバー７，７のカム溝１３，１３の第３のカム溝部１３ｃから第４のカム溝部１３ｄそして第５のカム溝部１３ｅへと到達する。これにより、充電端子保持レバー７，７は回動支持軸８を中心にして外側に回動して、充電端子１０，１０が開口部６，６から後退してカードＣの両側面の各電極部から離れる。
また、このカムプレート１５の図２から図４への移動により、カムプレート１５の緊急イジェクト動作片部１９も奥方向に移動して第２のイジェクトレバー４５の受け部５１に突き当たり、第２のイジェクトレバー４５はコイルスプリング５２のバネ力に抗して回動させられる。これにより、リンクピン４８は図２の右方向に移動するので、リンクピン４８と連結された第３のイジェクトレバー５３も図２の右方向に移動させ、図４に示すように、カード押出し片部５４によって充電位置にあるカードＣの先端を押して排出させる。
なお、この緊急イジェクト動作にあっても、充電端子１０がカードＣのイジェクトの支障にならない位置に退避した後に、第３のイジェクトレバー５３によるイジェクトが行われるように両方の動作のタイミングを設定してある。
【００３０】
このような前記実施の形態にあっては、２次電池を内蔵したカードＣが装着位置にあることを検出するカード検出センサ１４と、充電端子１０を設け、カードＣの電極部Ｅに対して離接自在とした充電端子保持レバー７と、充電端子保持レバー７を駆動して充電端子１０をカードＣの電極部Ｅに対して離接させるカムプレート１５とを備え、カード検出センサ１４によってカードＣの装着が検出されていない時には、カムプレート１５を駆動して充電端子保持レバー７の充電端子１０をカードＣの電極部Ｅから離間させてあり、カード検出センサ１４によってカードＣの装着が検出された時には、カムプレート１５を駆動して充電端子保持レバー７の充電端子１０をカードＣの電極部Ｅに当接させるようにしたため、充電器１にカードＣを挿入完了後に充電端子１０を当接させているので、充電器１への脱着の際に充電端子１０がカードＣと摺動して摩耗したり、また、カードＣにぶつかって損傷することを防止でき、カードＣの挿入並びに自動排出が確実にできる。
また、前記実施の形態にあっては、充電端子保持レバー７は回動自在に支持され、かつ充電端子保持レバー７に充電端子１０をコイルスプリング１２を介してカードＣの電極部Ｅ方向に付勢して支持してあり、充電端子保持レバー７を駆動して充電端子１０をカードＣの電極部Ｅに当接させると、充電端子１０がカードＣに最初に当接した位置から、コイルスプリング１２に抗して充電端子保持レバー７に押し込められながら充電端子１０が電極部Ｅに対して摺動するようにしたため、充電端子保持レバー７を駆動して充電端子１０をカードＣの電極部Ｅに当接させると、充電端子１０がカードＣに最初に当接した位置から、コイルスプリング１２に抗して充電端子保持レバー７に押し込められながら充電端子１０が電極部Ｅに対して摺動するようにしたので、カードＣの装着が完了した状態で充電端子１０をカードＣの電極部Ｅで摺動させて、充電端子１０のセルフクリーニングを行い、充電端子１０と電極部Ｅとが常に確実に導通される。
また、前記実施の形態にあっては、カードＣを排出するイジェクトレバー３９と、イジェクトレバー３９を駆動するイジェクト用カム部３３を設けたカムギア２６と、カムギア２６を駆動するモータ２９と、モータ２９の駆動制御するモータ制御回路とを備え、カードＣが装着位置にある時、外部からの入力によりモータ制御回路からの制御信号に応じてモータ２９を駆動してカムギア２６を駆動し、カムギア２６のイジェクト用カム部３３によってイジェクトレバー３９を駆動してカードＣを排出させるようにしたため、外部からあるいは装置本体からカードＣをオートイジェクトできる。
また、前記実施の形態にあっては、カムギア２６にはカムプレート１５を操作するカムプレート用カム部３２を備え、カードＣが装着位置にある時、外部からの入力によりモータ制御回路からの制御信号に応じてモータ２９を駆動してカムギア２６を駆動し、カムギア２６のカムプレート用カム部３２により充電端子保持レバー７が駆動されて充電端子１０が電極部Ｅから離れた後に、カムギア２６のイジェクト用カム部３３によってイジェクトレバー３９を駆動させてカードＣを排出させるようにしたため、外部からカードＣをオートイジェクトできるとともに、イジェクト動作に連動して充電端子１０をカードＣから離しているので、充電端子１０、及び電極部Ｅ（あるいはカードＣの側面）が摩耗して接続不良が発生するのを防止でき、また、充電端子１０がカードＣの外面にひっかかって挿入・排出に支障が生じることもない。
また、前記実施の形態にあっては、カードＣの挿入口以外でかつ装置外部より操作可能な操作部を設け、充電端子保持レバー７は、装着（充電）位置からカムプレート１５を更に押し込むと、カードＣの電極部Ｅから離れるように動作するように連動されており、カードＣの充電可能状態で、操作部からカムプレート１５を押し込み操作することにより、カムプレート１５によって充電端子保持レバー７をカードＣの電極部Ｅから離れさせるとともに、イジェクトレバー３９を駆動させてカードＣを排出する方向に押し出すようにしたため、充電器１内にカードＣを挿入して充電しているときに、停電等によって充電器１のオートイジェクト機構が作動しない場合、簡単な機構でカムギア２６に関係なく、手動によってカードＣを排出できる。
【００３１】
【発明の効果】
請求項１記載の発明によれば、被充電体を挿入完了後に充電端子を当接させているので、被充電体の脱着の際に充電端子が被充電体と摺動して摩耗したり、また、被充電体にぶつかって損傷することを防止でき、また挿入並びに自動排出が確実にできる。そして、充電端子保持部材を駆動して充電端子を被充電体の電極部に当接させると、充電端子が被充電体に最初に当接した位置から、弾性手段に抗して充電端子保持部材に押し込められながら充電端子が電極部に対して摺動するようにしたので、被充電体の装着が完了した状態で充電端子を被充電体の電極部で摺動させて、充電端子のセルフクリーニングを行い、充電端子と電極部とが常に確実に導通される。
【００３４】
請求項２記載の発明によれば、請求項１記載の発明による作用効果に加えて、外部から被充電体をオートイジェクトできるとともに、イジェクト動作に連動して充電端子を被充電体から離しているので、充電端子、及び電極部（あるいは被充電体の側面）が摩耗して接続不良が発生するのを防止でき、また、充電端子が被充電体の外面にひっかかって挿入・排出に支障が生じることもない。
【００３５】
請求項３記載の発明によれば、請求項２記載の発明による作用効果に加えて、充電器内に被充電体を挿入して充電しているときに、停電等によって被充電体のオートイジェクト機構が作動しない場合、簡単な機構でギアに関係なく、手動によって被充電体を排出できる。
【図面の簡単な説明】
【図１】本発明に係る充電器の一実施の形態のストップ状態／カード挿入状態を示す説明図である。
【図２】図１の充電器の充電状態を示す説明図である。
【図３】図１の充電器のイジェクト完了状態を示す説明図である。
【図４】図１の充電器の緊急イジェクト状態を示す説明図である。
【図５】図１の充電器の右側面図である。
【図６】図１の充電器の縦断面図である。
【図７】  (a),(b)はカムギアの正面図及び縦断面図である。
【図８】  (a),(b),(c),(d)はカムプレートの要部平面図、正面図、底面図、及び右側面図である。
【図９】  (a),(b)は充電端子保持レバーの正面図及び右側面図である。
【図１０】  (a),(b)は第１のイジェクトレバーの正面図及び右側面図である。
【図１１】  (a),(b)は第２のイジェクトレバーの正面図及び右側面図である。
【図１２】  (a),(b)はロックレバーの正面図及び底面図である。
【図１３】  (a),(b),(c)はガイドの平面図、正面図、及び左側面図である。
【図１４】図１の一方の充電端子保持レバー付近を拡大して示す説明図である。
【図１５】図１のカムギア付近を拡大して示す説明図である。
【符号の説明】
１  充電器
７  充電端子保持レバー
１０  充電端子
１２  コイルスプリング
１４  カード検出センサ
１５  カムプレート
２６  カムギア
２９  モータ
３２  カムプレート用カム部
３３  イジェクト用カム部
３９  イジェクトレバー
Ｃ  カード
Ｅ  電極部
【図１】
0003722577.tif 000002
【図２】
0003722577.tif 000003
【図３】
0003722577.tif 000004
【図４】
0003722577.tif 000005
【図５】
0003722577.tif 000006
【図６】
0003722577.tif 000007
【図７】
0003722577.tif 000008
【図８】
0003722577.tif 000009
【図９】
0003722577.tif 000010
【図１０】
0003722577.tif 000011
【図１１】
0003722577.tif 000012
【図１２】
0003722577.tif 000013
【図１３】
0003722577.tif 000014
【図１４】
0003722577.tif 000015
【図１５】
0003722577.tif 000016